(57)【要約】      （修正有）【課題】容易かつ低コストの実施を可能にするとともに、本来の作業の遂行に悪影響を及ぼす虞れがないように汎用性を高め、長靴の上端開口に対する十分なカバー機能を確保し、雨水や泥水などの浸入に対する十分な遮蔽効果を得る作業用雨具を提供する。【解決手段】防水性素材Ｒを用いたズボン２及び上着１０を有する作業用雨具１であって、ズボンにおける足を覆う部位の上下方向中間位置Ｘｍに、防水性素材Ｒを用いたシート生地により筒状に形成したカバー部材３の上端位置３ｐを密着するように固定し、ズボンの下部２ｄを、内カバー部Ｃｉと外カバー部Ｃｏからなる二層構造Ｍｗに構成する。【選択図】図１
0003210104.tif 000002
【実用新案登録請求の範囲】
【請求項１】
防水性素材を用いたズボン及び上着を有する作業用雨具において、前記ズボンにおける足を覆う部位の上下方向中間位置に、防水性素材を用いたシート生地により筒状に形成したカバー部材の上端位置を密着するように固定し、前記ズボンの下部を、内カバー部と外カバー部からなる二層構造に構成してなることを特徴とする作業用雨具。
【請求項２】
前記外カバー部は、下端位置を、前記内カバー部の下端位置よりも所定高さだけ上側に位置させることを特徴とする請求項１記載の作業用雨具。
【請求項３】
前記カバー部材は、前記ズボンの内面又は外面に固定することを特徴とする請求項１又は２記載の作業用雨具。
【考案の詳細な説明】
【技術分野】
【０００１】
本考案は、防水性素材を用いたズボン及び上着からなる、降雨時の作業に用いて好適な作業用雨具に関する。
【背景技術】
【０００２】
一般に、防水性素材を用いたズボン及び上着からなる作業用雨具は知られているが、作業は降雨の中で長靴を履いて行うため、特に、土木建築分野では作業時における固有の問題も生じる。即ち、通常、雨具のズボンは、表面を流れる雨水が長靴の中に入り込んでしまうのを回避するため、ズボンの裾を長靴の外側に露出させているが、この場合、泥や泥水がズボンの下端に付着し、歩いたり作業をしている最中に長靴の中に入り込んでしまう問題を生じる。
【０００３】
従来、この問題を改善するための雨具も提案されており、特許文献１には、防水性に優れ、かつ雨中の作業を行い易くすることを目的とした雨具であって、足入れ口近傍に雌スナップボタンを設けた長靴と、前側のみ横方向のタックを設け、雌スナップボタンと係合可能な、雄スナップボタンをスボン裾に設けた雨合羽のスボンとを有し、着用時に、雄スナップボタンを雌スナップボタンに係合させるようにした雨具が開示されている。
【先行技術文献】
【特許文献】
【０００４】
【特許文献１】実用新案登録第３１６３８５９号公報
【考案の概要】
【考案が解決しようとする課題】
【０００５】
しかし、上述した特許文献１における従来の雨具は、次のような問題点があった。
【０００６】
第一に、雌スナップボタンを設けた長靴を用意する必要があるとともに、ズボンの裾にも雄スナップボタンを設ける必要がある。したがって、専用の長靴が必要になるなど、汎用性に欠けるとともに、専用性ゆえのコストアップも無視できない。しかも、履き馴れた長靴を履けなかったり本来の作業に必要な長靴を履けないなど、作業の遂行に悪影響を及ぼす虞れもある。
【０００７】
第二に、長靴の足入れ口とズボンの裾の間における、いわばオーバラップ部分が短くなるため、例えば、作業時に飛び散る泥や泥水に対する遮蔽効果が低下する虞れがある。したがって、泥や泥水の飛散方向や状況によっては、返って長靴の中に入りやすくなり、泥や泥水が長靴に浸入するのを防止する観点からは、必ずしも十分な効果を得ることができない。
【０００８】
本考案は、このような背景技術に存在する課題を解決した作業用雨具の提供を目的とするものである。
【課題を解決するための手段】
【０００９】
本考案は、上述した課題を解決するため、防水性素材Ｒを用いたズボン２及び上着１０を有する作業用雨具１を構成するに際して、ズボン２における足を覆う部位の上下方向中間位置Ｘｍに、防水性素材Ｒを用いたシート生地により筒状に形成したカバー部材３の上端位置３ｐを密着するように固定し、ズボン２の下部２ｄを、内カバー部Ｃｉと外カバー部Ｃｏからなる二層構造Ｍｗに構成してなることを特徴とする。
【００１０】
この場合、考案の好適な態様により、外カバー部Ｃｏは、下端位置Ｘｏｂを、内カバー部Ｃｉの下端位置Ｘｉｂよりも所定高さＨｈだけ上側に位置させることが望ましい。なお、カバー部材３は、ズボン２の内面２ｉに固定してもよいし、ズボン２の外面２ｏに固定してもよい。
【考案の効果】
【００１１】
このような構成を有する本考案に係る作業用雨具１によれば、次のような顕著な効果を奏する。
【００１２】
（１）  基本的には、通常の雨具に対して、筒状に形成したカバー部材３を追加すれば足りるため、容易かつ低コストに実施できる。しかも、市販されている様々な長靴の形態に左右されることなく使用できるため、汎用性に優れるとともに、本来の作業の遂行に悪影響を及ぼす虞れも生じない。
【００１３】
（２）  長靴の上端開口とズボンの裾の間におけるオーバラップ部分の長さを任意に選定できるため、長靴の上端開口に対する十分なカバー機能を確保できる。したがって、作業時における長靴への泥や泥水の浸入、特に、様々な状況下で様々な方向から飛び散る泥や泥水の浸入防止を図ることができるなど、十分な遮蔽効果を享受できる。
【００１４】
（３）  好適な態様により、外カバー部Ｃｏの下端位置Ｘｏｂを、内カバー部Ｃｉの下端位置Ｘｉｂよりも所定高さＨｈだけ上側に位置させれば、内カバー部Ｃｉの下端位置Ｘｉｂを通常の雨具の長さと同様に選定した際には、外カバー部Ｃｏを最も適した長さに選定可能となり、泥や泥水に対する十分な遮蔽効果を確保する観点から、外カバー部Ｃｏの長さの最適化を図ることができる。
【００１５】
（４）  好適な態様により、カバー部材３は、ズボン２の内面２ｉに固定してもよいし、ズボン２の外面２ｏに固定してもよいため、固定する面としてズボン２の内外を任意に選択できる。この結果、内面２ｉに固定した場合には外観的に変化が生じないため、カバー部材３を追加したことに伴う違和感を排除できるとともに、他方、外面２ｏに固定した場合には外観的に変化させることができるため、デザイン性（形状性）を高め、お洒落感などを醸し出すことができる。
【図面の簡単な説明】
【００１６】
【図１】本考案の好適実施形態に係る作業用雨具の一部断面正面図、
【図２】同作業用雨具の下部を示す断面側面図、
【図３】同作業用雨具の下部により長靴を覆った状態を示す断面側面図、
【図４】本考案の変更実施形態に係る作業用雨具の下部を示す一部断面側面図、
【図５】本考案の他の変更実施形態に係る作業用雨具の下部により長靴を覆った状態を示す断面側面図、
【図６】本考案の他の変更実施形態に係る作業用雨具の下部及び長靴を示す断面側面図、
【考案を実施するための形態】
【００１７】
次に、本考案に係る好適実施形態を挙げ、図面に基づき詳細に説明する。
【００１８】
まず、本実施形態に係る作業用雨具１の構成について、図１及び図２を参照して具体的に説明する。
【００１９】
作業用雨具１は、図１に示すように、仮想線で示す上着１０と本考案の要部を構成するズボン２からなる。ズボン２は全体を防水性素材Ｒを用いて形成したズボン本体部２ｍを備え、このズボン本体部２ｍは、一般的な雨具のズボンと同等である。したがって、本実施形態に係る作業用雨具１を実施するに際しては、このような一般的な雨具を直接利用することも可能である。
【００２０】
一方、別途形成したカバー部材３を用意する。このカバー部材３は防水性素材Ｒを用いたシート生地により筒状に形成することができる。なお、カバー部材３の防水性素材Ｒは、上述したズボン本体部２ｍと同一素材であってもよいし、異なる素材であってもよい。また、色や厚さも同一か否かは問わない。しかし、溶着性を考慮した場合、ズボン本体部２ｍとカバー部材３は同一素材が望ましい。
【００２１】
そして、カバー部材３は、図１に示すように、ズボン２における足を覆う部位に挿入し、上下方向中間位置Ｘｍとなるズボン２の内面２ｉに、当該カバー部材３の上端位置３ｐを固定する。この場合、固定方法としては、熱溶着による方法などを利用し、カバー部材３の上端位置３ｐとズボン２の内面２ｉを面接触により密着させる。この場合、中間位置Ｘｍとしては、足の膝のやや下辺りが望ましい。また、実施形態では、図２に示すように、上端位置３ｐとして、カバー部材３の上端近傍における軸方向の所定幅にわたって外側に折り返し、この折り返し部分を溶着部Ｊｃを介してズボン２の内面２ｉに固定した。
【００２２】
これにより、図１に示すように、ズボン２の下部２ｄは、カバー部材３による内カバー部Ｃｉとズボン本体部２ｍによる外カバー部Ｃｏによる二層構造Ｍｗが構成される。また、この際、図２に示すように、外カバー部Ｃｏの下端位置Ｘｏｂは、内カバー部Ｃｉの下端位置Ｘｉｂよりも所定高さＨｈだけ上側に位置させるようにした。このような位置選定を行えば、内カバー部Ｃｉの下端位置Ｘｉｂを通常の雨具の長さと同様に選定した際に、外カバー部Ｃｏを最も適した長さに選定可能となり、泥や泥水に対する十分な遮蔽効果を確保する観点から、外カバー部Ｃｏの長さの最適化を図れる利点がある。以上により、本実施形態に係る作業用雨具１を得ることができる。したがって、作業用雨具１は極めて容易に製作することができる。
【００２３】
次に、本実施形態に係る作業用雨具１の使用方法及び機能について、図３を参照して説明する。
【００２４】
本実施形態に係る作業用雨具１は、例えば、土木建築を行う作業者が使用して好適である。この場合、作業者（使用者）が作業用雨具１を使用する際には、一般的な従来の雨具と同様に使用することができる。即ち、作業用雨具１のスボン２を履くとともに、上着を着て使用することができる。
【００２５】
また、作業者が長靴Ｂを履いた際には、図３に示すように、スボン２における内カバー部Ｃｉを長靴Ｂの内側に入れるとともに、外カバー部Ｃｏは長靴Ｂの外側に露出させて使用する。これにより、長靴Ｂの外側は、スボン２の外カバー部Ｃｏにより所定範囲にわたって覆われる。図３がこの状態を示している。
【００２６】
一方、この状態において作業を行う場合を想定する。降雨時のため、作業用雨具１の全体が降雨に濡れ、上着１０及びズボン２の表面（外面）を雨水が流れ落ちるが、ズボン２の表面を流れ落ちた雨水は、外カバー部Ｃｏの存在により、当該外カバー部Ｃｏの表面を流れ落ち、長靴Ｂの中に入り込むことはない。したがって、長靴Ｂの内部が雨水により濡れてしまう問題は回避される。さらに、降雨により地面Ｅの上には泥や泥水が発生するため、作業者が地面Ｅを歩いた際には、地面Ｅの上の泥や泥水が飛び散るが、この場合も外カバー部Ｃｏの存在により長靴Ｂの中に浸入することはない。即ち、カバー部Ｃｏの遮蔽機能により浸入が阻止される。
【００２７】
よって、このような本実施形態に係る作業用雨具１によれば、防水性素材Ｒを用いたズボン２及び上着１０を有する作業用雨具１を構成するに際して、ズボン２における足を覆う部位の上下方向中間位置Ｘｍに、防水性素材Ｒを用いたシート生地により筒状に形成したカバー部材３の上端位置３ｐを密着するように固定し、ズボン２の下部２ｄを、内カバー部Ｃｉと外カバー部Ｃｏからなる二層構造Ｍｗに構成したため、基本的には、通常の雨具に対して、筒状に形成したカバー部材３を追加すれば足りるため、容易かつ低コストに実施できる。しかも、市販されている様々な長靴の形態に左右されることなく使用できるため、汎用性に優れるとともに、本来の作業の遂行に悪影響を及ぼす虞れも生じない。また、長靴の上端開口とズボンの裾の間におけるオーバラップ部分の長さを任意に選定できるため、長靴の上端開口に対する十分なカバー機能を確保できる。したがって、作業時における長靴への泥や泥水の浸入、特に、様々な状況下で様々な方向から飛び散る泥や泥水の浸入防止を図ることができるなど、十分な遮蔽効果を享受できる。
【００２８】
次に、本考案の変更実施形態に係る作業用雨具１について、図４〜図６を参照して説明する。
【００２９】
図４に示す変更実施形態は、カバー部材３をズボン２に固定するに際し、ズボン２の外面２ｏに固定した実施形態を示す。前述した図１〜図３に示した基本実施形態は、カバー部材３を、ズボン２の内面２ｉに固定した実施形態を示したが、カバー部材３は、図４に示す変更実施形態のように、ズボン２の外面２ｏに対しても同様に固定可能である。また、固定するに際しては、図１〜図３に示した基本実施形態のように、カバー部材３の上端近傍における軸方向の所定幅にわたって外側に折り返し、この折り返し部分を溶着部Ｊｃを介してズボン２の内面２ｉに固定してもよいし、図４に示す変更実施形態のように、折り返しを行うことなく、筒状となるカバー部材３を上端近傍における軸方向の所定幅にわたる内面を、溶着部Ｊｃを介してズボン２の外面２ｏに重ねて固定した。
【００３０】
このように、カバー部材３は、ズボン２の内面２ｉに固定してもよいし、ズボン２の外面２ｏに固定してもよく、固定する面としてズボン２の内外を任意に選択できる。この結果、内面２ｉに固定する場合には、図１に示すように、外観的に変化が生じないため、カバー部材３を追加したことに伴う違和感を排除できるとともに、他方、外面２ｏに固定する場合には、図４に示すように、外観的に変化させることができるため、デザイン性（形状性）を高め、お洒落感などを醸し出すことができる。なお、図４は、下端位置Ｘｏｂを三角波形に形成し、デザイン性を考慮した例を示す。
【００３１】
さらに、図４に示す変更実施形態は、外カバー部Ｃｏの下端側の一部を切り離し可能にし、外カバー部Ｃｏの下端位置Ｘｏｂを変更可能に形成した実施形態を示す。この場合、図４に示すように、下端位置Ｘｏｂから上方へ一定間隔おきにミシン目Ｋ…を形成し、このミシン目Ｋ…を選択して切り離し可能にした。これにより、任意の位置におけるミシン目Ｋを切り離せば、切り離した部分が新たな下端位置Ｘｏｂとなる。
【００３２】
このように、外カバー部Ｃｏの下端位置Ｘｏｂを変更可能に形成すれば、使用者側において外カバー部Ｃｏの長さを容易に設定可能となるため、外カバー部Ｃｏの長さを使用者にマッチングさせ、機能性の最適化を図ることができる利点がある。なお、外カバー部Ｃｏについて説明したが、内カバー部Ｃｉにおいても同様に実施可能である。即ち、内カバー部Ｃｉの下端側の一部を切り離し可能にし、内カバー部Ｃｉの下端位置Ｘｉｂを変更可能に形成すればよい。
【００３３】
一方、図５に示す変更実施形態は、ズボン２におけるカバー部材３を固定した位置よりも下方の位置であって、内カバー部Ｃｉの外側面に、防水性素材を用いたシート生地により筒状に形成した第二のカバー部材４の上端位置４ｐを密着するように固定し、内カバー部Ｃｉと外カバー部Ｃｏの間に、中間カバー部Ｃｍを設けた実施形態を示す。この場合、図５に示すように、中間カバー部Ｃｍの下端位置Ｘｍｂは、内カバー部Ｃｉの下端位置Ｃｉｂ及び外カバー部Ｃｏの下端位置Ｃｏｂよりも上側に位置させる。また、中間カバー部Ｃｍの内径は外カバー部Ｃｏの内径よりも小さくなるように選定することが望ましい。
【００３４】
したがって、このような中間カバー部Ｃｍを設ければ、雨水や泥水等の浸入を防止する観点から理想的な形態を構築することができる。また、中間カバー部Ｃｍの下端位置Ｘｍｂを、内カバー部Ｃｉの下端位置Ｃｉｂ及び外カバー部Ｃｏの下端位置Ｃｏｂよりも上側に位置させることにより、必要最小限のシート生地により、補助カバーとしての有効な機能を確保できるとともに、低コスト性及び軽量性の向上にも寄与できる。特に、中間カバー部Ｃｍの内径を外カバー部Ｃｏの内径よりも小さく選定すれば、相対的に、長靴Ｂと中間カバー部Ｃｍ間の隙間を小さくできるため、泥や泥水等の長靴Ｂの内部への浸入を確実に阻止できる利点がある。
【００３５】
他方、図６に示す変更実施形態は、内カバー部Ｃｉに、使用者の足Ｈｆを覆う靴下形状部５を一体に連続形成したものである。したがって、このような靴下形状部５を設けたものであっても筒状に形成する概念である。このような靴下形状部５を一体に連続形成すれば、この靴下形状部５を実質的な胴長靴として機能させることができるため、災害現場における救助活動等、使用環境が非常に悪く、しかも、雨や泥等を気にしてはいられない状況であっても、使用者の足（素足）Ｈｆの部分が濡れたり汚れたりする心配がなく、救助活動等に専念できる利点がある。なお、図４〜図６において、図１〜図３と同一部分には同一符号を付してその構成を明確にするとともに、その詳細な説明は省略する。
【００３６】
以上、好適実施形態（変更実施形態）について詳細に説明したが、本考案は、このような実施形態に限定されるものではなく、細部の構成，形状，素材，数量等において、本考案の要旨を逸脱しない範囲で、任意に変更，追加，削除することができる。例えば、外カバー部Ｃｏの下端位置Ｘｏｂは、内カバー部Ｃｉの下端位置Ｘｉｂよりも所定高さＨｈだけ上側に位置させることが望ましいが、必ずしも上側に位置させることを要しない。
【産業上の利用可能性】
【００３７】
本考案に係る作業用雨具は、特に、降雨時の作業に利用できるとともに、作業時以外の各種用途に利用できる。
【符号の説明】
【００３８】
１：作業用雨具，２：ズボン，２ｄ：ズボンの下部，２ｉ：ズボンの内面，２ｏ：ズボンの外面，３：カバー部材，３ｐ：カバー部材の上端位置，４：第二のカバー部材，４ｐ：第二のカバー部材の上端位置，５：靴下形状部，１０：上着，Ｒ：防水性素材，Ｘｍ：上下方向中間位置，Ｘｉｂ：内カバー部の下端位置，Ｘｏｂ：外カバー部の下端位置，Ｘｍｂ：中間カバー部の下端位置，Ｃｉ：内カバー部，Ｃｉｂ：内カバー部の下端位置，Ｃｏ：外カバー部，Ｃｏｂ：外カバー部の下端位置，Ｃｍ：中間カバー部，Ｍｗ：二層構造，Ｈｈ：所定高さ，Ｈｆ：使用者の足
【図１】
0003210104.tif 000003
【図２】
0003210104.tif 000004
【図３】
0003210104.tif 000005
【図４】
0003210104.tif 000006
【図５】
0003210104.tif 000007
【図６】
0003210104.tif 000008